【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
患者の術中心血管リスクを評価する方法において、患者（３４）の心電図（１００）を収集する動作と、心電図が心血管リスクの臨床的予兆（１７８）を示すか否かを判定する動作と、心血管リスクの臨床的予兆（１７８）に基づいて心血管リスクの確率（１８０）を判定する動作と、心血管リスクの確率（１８０）を臨床医に対して表示する動作とから成る方法。
【請求項２】
心電図が心血管リスクの臨床的予兆（１７８）を示すか否かを判定する動作は、収集された心電図（１００）を解釈モジュール（５８）に入力し且つ前記解釈モジュール（５８）から心血管リスクの臨床的予兆（１７８）をエクスポートする動作とを更に含む請求項１記載の方法。
【請求項３】
心電図（１００）が心血管リスクの臨床的予兆（１７８）を示すか否かを判定する動作は、心電図（１００）が心血管リスクの重度の臨床的予兆（１７８）を示すか否かを判定する動作を更に含む請求項１記載の方法。
【請求項４】
心電図（１００）が心血管リスクの臨床的予兆（１７８）を示すか否かを判定する動作は、心電図（１００）が心血管リスクの中程度の臨床的予兆（１７８）を示すか否かを判定する動作を更に含む請求項１記載の方法。
【請求項５】
心電図（１００）が心血管リスクの臨床的予兆（１７８）を示すか否かを判定する動作は、心電図（１００）が心血管リスクの軽度の臨床的予兆（１７８）を示すか否かを判定する動作を更に含む請求項１記載の方法。
【請求項６】
心血管リスクの軽度の臨床的予兆（１７８）は左心室肥大、左房室束脚ブロック、適切な機能的容量が存在するＳＴ異常及び洞律動以外の律動のうち少なくとも１つである請求項５記載の方法。
【請求項７】
心血管リスクの確率（１８０）を表示する動作は、重度の心血管リスク、中程度の心血管リスク又は軽度の心血管リスクのいずれかの標識を表示する動作を更に含む請求項１記載の方法。
【請求項８】
心血管リスクの確率を表示する動作は、心電図の専門医（１６０）の助言を求めるようにとの示唆を表示する動作を更に含んでいても良い請求項１記載の方法。
【請求項９】
患者の術中心血管リスクを評価する装置において、心電図（１００）を収集する収集装置（３８）と、前記収集装置（３８）に結合し、収集された心電図（１００）が心血管リスクの臨床的予兆（１７８）を有しているか否かを判定し且つ心血管リスクの臨床的予兆（１７８）に基づいて心血管リスクの確率（１８０）を判定するプロセッサ（４４）と、心血管リスクの確率（１８０）を臨床医に対して指示する表示装置（４２）とを具備する装置。
【請求項１０】
前記プロセッサ（４４）に結合する解釈モジュール（５８）を更に具備し、収集された心電図（１００）は前記解釈モジュール（５８）に入力され、且つ前記解釈モジュール（５８）から心血管リスク（１７８）の臨床的予兆（１７８）がエクスポートされる請求項９記載の装置。
【請求項１１】
心血管リスクの臨床的予兆（１７８）はリスクの重度の臨床的予兆、中程度の臨床的予兆又は軽度の臨床的予兆のいずれかである請求項９記載の装置。
【請求項１２】
前記プロセッサ（４４）はテキストレポートを生成し且つ前記表示装置（４２）はテキストレポートを臨床医に指示する請求項９記載の装置。
【請求項１３】
患者の術中心血管リスクを評価する方法において、ステートメントコードライブラリ（１７２）を提供する動作と、患者（３４）の心電図（１００）を収集する動作と、収集された心電図（１００）に対してステートメントコード（１７０）を生成する動作と、収集された心電図（１００）に関するステートメントコード（１７０）を前記ステートメントコードライブラリ（１７２）と比較する動作と、比較に基づいて患者（３４）の心血管リスクの確率（１８０）を判定する動作と、心血管リスクの確率（１８０）を臨床医に対して表示する動作とから成る方法。
【請求項１４】
患者（３４）の心電図（１００）を収集する動作の前に、患者の病歴及び物理的検査を実施する動作を更に含む請求項１又は１３記載の方法。
【請求項１５】
前記ステートメントコードライブラリ（１７２）は複数の構成可能な設定を有する請求項１３記載の方法。
【請求項１６】
構成可能な設定は心血管リスクの予兆（１８０）を含む請求項１５記載の方法。
【請求項１７】
心血管リスクの予兆（１７８）は心血管リスクの重度の予兆、中程度の予兆又は軽度の予兆のいずれかである請求項１６記載の方法。
【請求項１８】
心血管リスクの重度の臨床的予兆（１７８）は最近に発生した心筋梗塞、不安定な狭心症、代償不全鬱血性心臓障害、不整脈及び弁疾患のうち少なくとも１つである請求項３又は１７記載の方法。
【請求項１９】
不整脈は房室間ブロック、背後に心臓疾患が存在する不整脈の徴候及び心室流量の制御不能を伴う心室上不整脈のうち少なくとも１つである請求項１８記載の方法。
【請求項２０】
弁疾患は狭窄性病変及び逆流性弁疾患のうち少なくとも１つである請求項１８記載の方法。
【請求項２１】
心血管リスクの中程度の臨床的予兆（１７８）は以前に発生した心筋梗塞、安定した狭心症及び代償鬱血性心臓障害のうち少なくとも１つである請求項４又は１７記載の方法。
【請求項２２】
心血管リスクの軽度の臨床的予兆（１７８）は左心室肥大、左房室束脚ブロック、適切な機能的容量が存在するＳＴ異常及び洞律動以外の律動のうち少なくとも１つである請求項１７記載の方法。
【請求項２３】
構成可能な設定はステートメントのリスト（１７８）と、ステートメント番号（１７４）とを含む請求項１５記載の方法。
【請求項２４】
ステートメントコード（１７０）を生成する動作は、収集された心電図（１００）を解釈モジュール（５８）に入力し且つ前記解釈モジュール（５８）からステートメント番号（１７４）をエクスポートする動作を更に含む請求項２３記載の方法。
【請求項２５】
心血管リスクの確率（１８０）を表示する動作は、収集された心電図（１００）のステートメント番号（１７４）をステートメントのリスト（１７８）と相関させることによりテキストレポートを生成する動作を更に含む請求項２４記載の方法。
【請求項２６】
心血管リスクの確率（１８０）を臨床医に対して表示する動作は、生成されたテキストレポートを表示する動作を更に含む請求項２５記載の方法。
【請求項２７】
生成されるレポートは重度の心血管リスク、中程度の心血管リスク又は軽度の心血管リスクのいずれかの標識を含む請求項２５記載の方法。
【請求項２８】
生成されるレポートは、心電図の専門医（１６０）に助言を求めるようにとの示唆を含んでいても良い請求項２５記載の方法。
【請求項２９】
患者の術中心血管リスクを評価する装置において、患者（３４）の心電図（１００）を収集する収集装置（３８）と、前記収集装置（３８）に結合するステートメントコードライブラリ（１７２）と、前記収集装置（３８）及びステートメントコードライブラリ（１７２）に結合し、収集された心電図（１００）に関するステートメントコード（１７０）を生成し、収集された心電図（１００）に関するステートメントコード（１７０）を前記ステートメントコードライブラリ（１７２）と比較し、比較に基づいて患者の心血管リスクの確率（１８０）を判定するプロセッサ（４４）と、心血管リスクの確率（１８０）を臨床医に対して指示する表示装置（４２）とを具備する装置。
【請求項３０】
前記ステートメントコードライブラリ（１７２）は複数の構成可能な設定を有する請求項２９記載の装置。
【請求項３１】
構成可能な設定は心血管リスクの予兆（１７８）を含む請求項３０記載の装置。
【請求項３２】
心血管リスクの予兆（１７８）は心血管リスクの重度の予兆、中程度の予兆又は軽度の予兆のいずれかである請求項３１記載の装置。
【請求項３３】
心血管リスクの重度の臨床的予兆（１７８）は最近に発生した心筋梗塞、不安定な狭心症、代償不全鬱血性心臓障害、不整脈及び弁疾患のうち少なくとも１つである請求項１１又は３２記載の装置。
【請求項３４】
不整脈は房室間ブロック、背後に心臓疾患が存在する不整脈の徴候及び心室流量の制御不能を伴う心室上不整脈のうち少なくとも１つである請求項３３記載の装置。
【請求項３５】
弁疾患は狭窄性病変及び逆流性弁疾患のうち少なくとも１つである請求項３３記載の装置。
【請求項３６】
心血管リスクの中程度の臨床的予兆（１７８）は以前に発生した心筋梗塞、安定した狭心症及び代償鬱血性心臓障害のうち少なくとも１つである請求項１１又は３２記載の装置。
【請求項３７】
心血管リスクの軽度の臨床的予兆（１７８）は左心室肥大、左房室束脚ブロック、適切な機能的容量が存在するＳＴ異常及び洞律動以外の律動のうち少なくとも１つである請求項１１又は３２記載の装置。
【請求項３８】
構成可能な設定はステートメントのリスト（１７８）と、ステートメント番号（１７４）とを含む請求項３０記載の装置。
【請求項３９】
収集された心電図（１００）は解釈モジュール（５８）に入力され、前記解釈モジュール（５８）からステートメント番号（１７４）がエクスポートされる請求項３８記載の装置。
【請求項４０】
前記プロセッサ（４４）は、収集された心電図（１００）のステートメント番号（１７４）をステートメントのリスト（１７８）と相関させることによりテキストレポートを生成する動作を更に含む請求項５１記載の装置。
【請求項４１】
前記表示装置（４２）は生成されたテキストレポートを臨床医に対して指示する請求項４０記載の装置。
【請求項４２】
生成されるレポートは重度の心血管リスク、中程度の心血管リスク又は軽度の心血管リスクのいずれかの標識を含む請求項１２又は４０記載の装置。
【請求項４３】
生成されるレポートは、心電図の専門医（１６０）に助言を求めるようにとの示唆を含んでいても良い請求項１２又は４０記載の装置。